(57)【要約】【課題】カップ類Ｃの挿入時等にサポートに荷重が加わっても蓋体が閉止するおそれがないカップホルダを提供する。【解決手段】リンク機構は、収容部材１に進退自在に支持され長孔４３をもつ第１リンク部材４１と、長孔４３に係合された係合部４２ｃとサポート３に枢支された枢支部４３ａとをもつ第２リンク部材４２とを有する。蓋体２が開状態であるときには、係止部４２ｃが長孔４３の一端部４３ａに支持されることで、第２リンク部材４２は、サポート３との間で鈍角を形成する方向に傾斜して起立することで、サポート３を収容位置に支持している。蓋体２が開状態から閉状態に回動されると、係止部４２ｃが長孔４３の一端部４３ａから他端部４３ｂに移動して、第２リンク部材４２は、サポート３との間で、鈍角を形成する方向から鋭角を形成する方向に回動して倒伏することで、サポート３を収容位置へ移動させる。【選択図】図２
2009298219.tif 000002
【特許請求の範囲】
【請求項１】
内部にカップ収容室が形成され、開口部を有する収容部材と、
該収容部材に対して回動自在に支承され、前記開口部を開閉する蓋体と、
該蓋体に回動自在に枢支され、前記蓋体が閉位置にあるときには収容位置に、前記蓋体が開状態にあるときには展開位置に位置してカップの側部を保持するサポートと、
該サポートに連結され、前記蓋体の開閉にともなって前記サポートを前記収容位置と前記展開位置との間で移動させるリンク機構と、を備えるカップホルダであって、
前記リンク機構は、前記サポートに対向し、前記収容部材に支持された第１リンク部材と、前記蓋体と対向し、前記サポート及び前記第１リンク部材の一方に形成された長孔に係合された係合部と、前記サポート及び前記第１リンク部材の他方に枢支された枢支部とをもつ第２リンク部材と、を有し、
前記蓋体が開状態であるときには、前記係止部が前記長孔の一端部に支持されることで、前記第２リンク部材は、前記サポートとの間で鈍角を形成する方向に傾斜して起立することで、前記サポートを前記収容位置に支持しており、
前記蓋体が開状態から閉状態に回動されると、前記係止部が前記長孔の前記一端部から他端部に移動することで、前記第２リンク部材は、前記サポートとの間の傾斜角度を、前記鈍角を形成する方向から鋭角を形成する方向に変位させた後に、前記係止部を前記長孔の前記他端部に保持させながら倒伏することで、前記サポートを前記収容位置へ移動させることを特徴とするカップホルダ。
【請求項２】
前記第１リンク部材は、前記係合部に前記長孔の前記一端部と前記他端部との間を移動させるように、前記収容部材にスライド自在に支持されている請求項１記載のカップホルダ。
【請求項３】
前記長孔は、前記第１リンク部材に形成されており、
前記長孔の前記他端部は、前記長孔の前記一端部よりも、前記サポートの前記収容位置から前記展開位置へ向かう方向の側に位置している請求項１又は請求項２に記載のカップホルダ。
【請求項４】
前記長孔は、前記サポートに形成されており、
前記長孔の前記他端部は、前記長孔の前記一端部よりも、前記サポートの前記展開位置から前記収容位置へ向かう方向の側に位置している請求項１又は請求項２に記載のカップホルダ。
【請求項５】
前記第１リンク部材の長手方向の一端部は、前記長孔又は前記枢支部をもち、
前記第１リンク部材の長手方向の他端部は、前記蓋体が開状態であるときには前記蓋体に当接し、前記蓋体が開状態から閉状態に回動されると前記蓋体から離間する当接部をもつ請求項３又は請求項４に記載のカップホルダ。
【請求項６】
前記サポートの前記蓋体に枢支されている軸支部と前記第２リンク部材を枢支している枢支部との間の直線は、前記蓋体の前記収容部材に対する回動中心部と前記第２リンク部材における前記第１リンク部材に形成された前記長孔の前記他端部に係合している前記係合部との間の直線に対して平行であり、
前記サポートの前記軸支部と前記蓋体の前記回動中心部との間の直線は、前記サポートの前記枢支部と前記第２リンク部材における前記長孔の前記他端部に係合している前記係合部との間の直線に対して平行である請求項３又は請求項５に記載のカップホルダ。
【請求項７】
前記サポートの前記蓋体に枢支されている軸支部と前記第２リンク部材における前記サポートに形成された前記長孔の前記他端部に係合している前記係合部との間の直線は、前記蓋体の前記収容部材に対する回動中心部と前記第２リンク部材における前記第１リンク部材に枢支されている枢支部との間の直線に対して平行であり、
前記サポートの前記軸支部と前記蓋体の前記回動中心部との間の直線は、前記第２リンク部材における前記長孔の前記他端部に係合している前記係合部と前記第１リンク部材の前記枢支部との間の直線に対して平行である請求項４又は請求項５に記載のカップホルダ。
【請求項８】
前記長孔は、前記第２リンク部材の前記枢支部を中心とする円弧形状である請求項１乃至請求項７のいずれか１項に記載のカップホルダ。
【発明の詳細な説明】
【技術分野】
【０００１】
本発明は、蓋体の開閉によりサポートを展開又は収容させるカップホルダに関する。
【背景技術】
【０００２】
車両室内のコンソールボックスなどには、カップ類を保持するカップホルダが設けられている。カップホルダは、例えば、図９に示すように、内部にカップ収容室９１ａが形成され開口部９１ｂを有する収容部材９１と、開口部９１ｂを開閉する蓋体９２と、カップの側部を保持するサポート９３と、サポート９３を昇降させるリンク部材９４とを備えている。蓋体９２は、回動中心部９２ａで収容部材９１に対して回動自在に支持されている。サポート９３は、一端側の枢軸部９３ａで蓋体９２に回動自在に支持されている。リンク部材９４の一端部は、サポート９３に回動自在に枢支され、リンク部材９４の他端部は、収容部材９１のヒンジ部９１ｃに回動自在に枢支されている。このように、収容部材９１を固定リンクとし、蓋体９２が回動することで、リンク部材９４が起立又は倒伏して、サポート９３が昇降される。蓋体９２の閉状態では、サポート９３は降下して、カップ収容室９１ａに収容する収容位置に移動する。蓋体９２の開状態では、サポート９３は、収容位置よりも上方の展開位置に上昇する。
【０００３】
しかしながら、リンク部材９４は、第２枢支部９４ｂで収容部材９１に回動自在に枢支されている。そして、蓋体９２の開閉にともなってサポート９３を昇降させるために、サポート９３に対して、リンク部材９４を鋭角に傾斜するように配置させていた。
【０００４】
ゆえに、カップ収容室内にカップ類を挿入するときなどに、サポート９３に上側から荷重Ｆが加わると、リンク部材９４が倒伏して、サポート９３が下方に移動する。更に、サポート９３の移動にともなって蓋体９２が開状態から閉状態に回動してしまう。このように、カップ類の挿入時にサポート９３に荷重を加えると、蓋体９２が開状態から閉状態に回動してしまい、カップ類の挿入性が悪かった。
【０００５】
また、特許文献１、２に開示されているカップホルダでは、サポートが蓋体に回動自在に支持されており、サポートに対してリンク部材が回動自在に連結されている。リンク部材は、蓋体に回動自在に支承されている。このカップホルダにおいても、リンク部材が、サポートに対して、鋭角に傾斜している。このため、サポートに荷重が加わると、蓋体が開状態から閉状態に回動してしまうという問題がある。
【特許文献１】特開平９−７１１７２号公報（図１）
【特許文献２】特開２００２−１２０７８号公報（図４）
【特許文献３】特開平８−１４２７６１号公報（図３）
【発明の開示】
【発明が解決しようとする課題】
【０００６】
本発明はかかる事情に鑑みてなされたものであり、カップ類の挿入時等にサポートに荷重が加わっても蓋体が閉止するおそれがないカップホルダを提供することを課題とする。
【課題を解決するための手段】
【０００７】
本発明に係るカップホルダは、内部にカップ収容室が形成され、開口部を有する収容部材と、該収容部材に対して回動自在に支承され、前記開口部を開閉する蓋体と、該蓋体に回動自在に枢支され、前記蓋体が閉位置にあるときには収容位置に、前記蓋体が開状態にあるときには展開位置に位置してカップの側部を保持するサポートと、該サポートに連結され、前記蓋体の開閉にともなって前記サポートを前記収容位置と前記展開位置との間で移動させるリンク機構と、を備えるカップホルダであって、前記リンク機構は、前記サポートに対向し、前記収容部材に支持された第１リンク部材と、前記蓋体と対向し、前記サポート及び前記第１リンク部材の一方に形成された長孔に係合された係合部と、前記サポート及び前記第１リンク部材の他方に枢支された枢支部とをもつ第２リンク部材と、を有し、前記蓋体が開状態であるときには、前記係止部が前記長孔の一端部に支持されることで、前記第２リンク部材は、前記サポートとの間で鈍角を形成する方向に傾斜して起立することで、前記サポートを前記収容位置に支持しており、前記蓋体が開状態から閉状態に回動されると、前記係止部が前記長孔の前記一端部から他端部に移動することで、前記第２リンク部材は、前記サポートとの間の傾斜角度を、前記鈍角を形成する方向から鋭角を形成する方向に変位させた後に、前記係止部を前記長孔の前記他端部に保持させながら倒伏することで、前記サポートを前記収容位置へ移動させることを特徴とする（請求項１）。
【０００８】
上記構成においては、蓋体が開状態であるときには、第２リンク部材の係止部が、サポート又は第１リンク部材の一方に形成された長孔の一端部に支持されることで、第２リンク部材は、サポートとの間で鈍角を形成する方向に傾斜している。このため、カップ類をサポートに挿入する際に、サポートにカップ類の挿入方向に荷重が加わっても、第２リンク部材は、つっかい棒の役目を果たし、第２リンク部材が起立状態から倒伏状態へ回動することが防止される。ゆえに、サポートは動くことなく、蓋体が閉止することが抑制される。したがって、カップ類の挿入時等にサポートに荷重が加わっても、蓋体が誤って閉止するおそれがない。
【０００９】
また、蓋体が開状態から閉状態に回動されると、係止部が長孔の一端部から他端部に移動することで、第２リンク部材は、サポートとの間の傾斜角度を、鈍角を形成する方向から鋭角を形成する方向に変位させる。更に、蓋体が閉状態に回動されると、第２リンク部材は、係止部を長孔の他端部に保持させながら倒伏することで、サポートを収容位置へ移動させる。このように、蓋体を開状態から閉状態に回動させることにより、サポートを収容位置に収容することができる。
【００１０】
前記第１リンク部材は、前記係合部に前記長孔の前記一端部と前記他端部との間を移動させるように、前記収容部材にスライド自在に支持されていることが好ましい（請求項２）。この場合には、第２リンク部材は、サポートとの間の傾斜角度を、鈍角を形成する方向から鋭角を形成する方向に容易に変位させることができる。
【００１１】
前記長孔は、前記第１リンク部材に形成されており、前記長孔の前記他端部は、前記長孔の前記一端部よりも、前記サポートの前記収容位置から前記展開位置へ向かう方向の側に位置していることが好ましい（請求項３）。この場合には、蓋体を開状態から閉状態に回動させたときに、係合部を長孔の一端部から他端部に移動させることができる。これにより、第２リンク部材とサポートとの間の傾斜角度を鈍角から鋭角に変化させることができる。
【００１２】
前記長孔は、前記サポートに形成されており、前記長孔の前記他端部は、前記長孔の前記一端部よりも、前記サポートの前記展開位置から前記収容位置へ向かう方向の側に位置していることが好ましい（請求項４）。この場合には、蓋体を開状態から閉状態に回動させたときに、係合部を長孔の一端部から他端部に移動させることができる。これにより、第２リンク部材とサポートとの間の傾斜角度を鈍角から鋭角に変化させることができる。
【００１３】
前記第１リンク部材の長手方向の一端部は、前記長孔又は前記枢支部をもち、前記第１リンク部材の長手方向の他端部は、前記蓋体が開状態であるときには前記蓋体に当接し、前記蓋体が開状態から閉状態に回動されると前記蓋体から離間する当接部をもつことが好ましい（請求項５）。蓋体が開状態であるときには、第１リンク部材の他端部が蓋体に当接することで第１リンク部材のスライド方向の移動が規制され、第１リンク部材のガタつきを抑制することができる。また、蓋体が開状態から閉状態に回動するときには、蓋体の回動によって第１リンク部材は、係合部を一端部から他端部に移動させるようにスライドする。これにより、第２リンク部材とサポートとの間の傾斜角度を鈍角から鋭角に容易に変位させることができる。
【００１４】
前記長孔が前記第１リンク部材に形成されている場合には、前記サポートの前記蓋体に枢支されている軸支部と前記第２リンク部材を枢支している枢支部との間の直線は、前記蓋体の前記収容部材に対する回動中心部と前記第２リンク部材における前記第１リンク部材に形成された前記長孔の前記他端部に係合している前記係合部との間の直線に対して平行であり、前記サポートの前記軸支部と前記蓋体の前記回動中心部との間の直線は、前記サポートの前記枢支部と前記第２リンク部材における前記長孔の前記他端部に係合している前記係合部との間の直線に対して平行であることが好ましい（請求項６）。この場合には、サポートの軸支部と、第２リンク部材のサポートに枢支されている枢支部と、蓋体の回動中心部と、第２リンク部材における長孔の他端部に係合している係合部との４点で回動自在に支持された４辺からなる平行四辺形リンク機構が構成される。ゆえに、サポートを傾斜させることなく、展開位置と収容位置との間を移動させることができる。
【００１５】
前記長孔が前記サポートに形成されている場合には、前記サポートの前記蓋体に枢支されている軸支部と前記第２リンク部材における前記サポートに形成された前記長孔の前記他端部に係合している前記係合部との間の直線は、前記蓋体の前記収容部材に対する回動中心部と前記第２リンク部材における前記第１リンク部材に枢支されている枢支部との間の直線に対して平行であり、前記サポートの前記軸支部と前記蓋体の前記回動中心部との間の直線は、前記第２リンク部材における前記長孔の前記他端部に係合している前記係合部と前記第１リンク部材の前記枢支部との間の直線に対して平行であることが好ましい（請求項７）。この場合には、サポートの軸支部と、第２リンク部材における長孔の他端部に係合している係合部と、第２リンク部材の第１リンク部材に枢支されている枢支部と、蓋体の回動中心部との４点で回動自在に支持された４辺からなる平行四辺形リンク機構が構成される。ゆえに、サポートを傾斜させることなく、展開位置と収容位置との間を移動させることができる。
【００１６】
前記長孔は、前記第２リンク部材の前記枢支部を中心とする円弧形状であることが好ましい（請求項８）。これにより、係合部は長孔の中を円滑に移動することができる。
【発明の効果】
【００１７】
以上のように、本発明のカップホルダによれば、蓋体が開状態であるときには、第２リンク部材の係止部が、長孔の一端部に支持されることで、第２リンク部材は、サポートとの間で鈍角を形成する方向に傾斜している。このため、カップ類をサポートに挿入する際に、サポートにカップ類の挿入方向に荷重が加わっても、第２リンク部材は、つっかい棒の役目を果たし、蓋体が閉止するおそれがない。
【発明を実施するための最良の形態】
【００１８】
（第１実施形態）
本発明の第１実施形態に係るカップホルダについて具体的に説明する。図１に示すように、本実施形態に係るカップホルダは、内部にカップ収容室１ａが形成され開口部１ｂを有する収容部材１と、開口部１ｂを開閉する蓋体２と、カップ類Ｃの側部を保持するサポート３と、サポート３を昇降させ、第１リンク部材４１及び第２リンク部材４２からなるリンク機構４とを備えている。
【００１９】
収容部材１は、カップ収容室１ａの底部を形成する底部材１１と、開口部１ｂを形成する四角形状の枠部材１２とをもち、底部材１１は、上部に枠部材１２を嵌合させることにより枠部材１２と一体になり収容部材１を構成している。
【００２０】
図１，図２に示すように、底部材１１は、カップ収容室１ａの底部を有している。底部１１ａは、カップ類Ｃを載置する円板形状の１対のホルダ部１１ｂ、１１ｂと、１対のホルダ部１１ｂ、１１ｂの間で円弧部１１ｒに近接した部分にカップ収容室１ａ側に盛り上がるリンク収納部１１ｃと、左右両端に形成され蓋体２を回動自在に枢支する回動孔１１ｄとを有している。リンク収納部１１ｃには、第１リンク部材４１が収容されており、リンク収納部１１ｃの前後方向には第１リンク部材４１を長手方向に進退させる２つの挿入孔１１ｅ、１１ｅが形成されている。
【００２１】
底部材１１は、カップ類Ｃの底部を保持する底部１１ａと、底部１１ａの一方側に連設された円弧部１１ｒと、底部１１ａの他方側に連設されたガイド部１１ｓとを有している。円弧部１１ｒは、蓋体２の回動を妨げないように回動孔１１ｄを中心とする円弧形状を呈している。
【００２２】
枠部材１２は、車体側部材の表面と面一状の表面をもつ枠本体部１２ａと、枠本体部１２ａから開口部１ｂに突出して、閉状態の蓋体２の裏面側を保持する蓋保持部材１２ｂと、蓋体２を閉状態に保持するロック機構１２ｃとを有している。ロック機構１２ｃは、操作部１２ｄと、操作部１２ｄの下部に配置され閉状態の蓋体２を係止又は解放する係止爪１２ｅと、係止爪１２ｅの回動を規制又は解除する爪収容部１２ｇとを有している。係止爪１２ｅは、回動軸１２ｆを中心に回動することでカップ収容室１ａ側に進退する。係止爪１２ｅの回動軸１２ｆには、係止爪１２ｅをカップ収容室１ａ側へ進み出させる方向に付勢するコイル状のバネ（図示略）が巻回されている。係止爪１２ｅは、直上に配置されている操作部１２ｄが押されると、バネの付勢力に抗して、操作部１２ｄの下部によって回動されて、カップ収容室１ａ側から後退する。
【００２３】
蓋体２は、ほぼ平坦な四角形状であり、左右両端から中央部に向けて緩やかに傾斜している。蓋体２は、閉状態のときに枠本体部１２ａの表面と面一に位置する表面をもつ表面部材２１と、カップ収容室１ａに対向する内側部材２２とをもつ。表面部材２１は、内側部材２２に周縁部で嵌合することで一体になり、蓋体２を構成している。図３に示すように、内側部材２２の左右両端には、回動孔１１ｄに軸着された回動中心部２ａと、サポート３を回動自在に枢支する軸支孔２ｂとが形成されている。蓋体２が開状態であるときには、回動中心部２ａは、軸支孔２ｂよりも上側に位置する部分に形成されている。
【００２４】
サポート３は、左右両端に外側に向かって突出する軸支部３ａを蓋体２の軸支孔２ｂに挿着することで、蓋体２に対して回動自在に枢支されている。図１に示すように、サポート３の上面は、水平方向に広がっている。サポート３は、カップ類Ｃの側部を保持する一対の円弧形状のホルダ部３ｂ、３ｂと、ホルダ部３ｂ、３ｂの先端に揺動自在に支持された爪部３ｃ、３ｃとをもつ。爪部３ｃは、図示略のバネによってカップ収容室１ａの中央側に付勢されている。カップ類Ｃがホルダ部３ｂに挿入されると、バネの付勢力に抗して、カップ類Ｃの側部によって爪部３ｃがカップ収容室１ａの外側に向かって揺動する。
【００２５】
図２に示すように、第１リンク部材４１は、前後方向に延びる長尺板状体であって、サポート３の前端部から後端部までの間の前後方向と平行に延びている。第１リンク部材４１は、収容部材１のリンク収納部１１ｃに前後方向にスライド自在に支持されている。第１リンク部材４１の後方側端部は、開状態の蓋体２の裏面に当接する当接部４１ａをもつ。第１リンク部材４１の前方側端部には、後述する第２リンク部材４２の枢支部４２ａを中心とする円弧形状の長孔４３が形成されている。長孔４３は、第１リンク部材４１がスライドする方向（前後方向）に延びている。長孔４３の他端部４３ｂは、長孔４３の一端部４３ａよりも、サポート３が収容位置から展開位置に移動する方向（後方側）に位置している。
【００２６】
図２，図４に示すように、第２リンク部材４２は、サポート３と第１リンク部材４１とに連結されている。即ち、第２リンク部材４２の一端部は、２股に分岐した部分の窪み部４２ｄに、サポート３の裏面側に突出する軸受部３ｄを配設している。軸受部３ｄは、窪み部４２ｄの両方の側壁から突出する枢支部４２ａを回動自在に枢支している。
【００２７】
第２リンク部材４２の他端部は、２股に分岐した部分の窪み部４２ｂに、第１リンク部材４１を配設させている。窪み部４２ｂの両方の側壁には、内側に向かって突出する係合部４２ｃが形成されている。係合部４２ｃは、第１リンク部材４１の長孔４３にスライド自在に係合されている。
【００２８】
図２に示すように、係合部４２ｃが長孔４３の一端部４３ａに係合されているときには、第２リンク部材４２は、サポート３の前後方向に対して、鈍角を形成する方向に傾斜している。即ち、係合部４２ｃが一端部４３ａに係合しているときの第２リンク部材４２は、サポート３の前後方向に対する垂線Ｌ１に対して、第１リンク部材４１がリンク収納部１１ｃから進み出る方向に傾斜している。垂線Ｌ１と、係合部４２ｃが一端部４３ａに係合しているときの第２リンク部材４２の長手方向Ｌ２との間の角度αは、４〜１０°であることが好ましく、更には５〜１０°であることが望ましい。４°未満の場合には、カップ類挿入時にサポート３に荷重が加わり、第２リンク部材４２が倒伏するおそれがある。１０°を越える場合には、操作不具合の原因となり、また、より大きなスペースの確保が必要となるおそれがある。かかる角度αは、例えば５°である。
【００２９】
図５に示すように、係合部４２ｃが長孔４３の他端部４３ｂに係合されているときには、第２リンク部材４２は、サポート３の前後方向に対して、鋭角を形成する方向に傾斜している。即ち、係合部４２ｃが他端部４３ｂに係合しているときの第２リンク部材４２は、サポート３の前後方向に対する垂線Ｌ１に対して、第１リンク部材４１がリンク収納部１１ｃの中に後退する方向に傾斜している。垂線Ｌ１と、係合部４２ｃが他端部４３ｂに係合しているときの第２リンク部材４２の長手方向Ｌ３との間の角度βは、５〜２０°であることが好ましく、更には７〜１６°であることが望ましい。５°未満の場合には、カップ類挿入時にサポート３に荷重が加わり、第２リンク部材４２が倒伏するおそれがある。２０°を越える場合には、操作不具合の原因となり、また、より大きなスペースの確保が必要となるおそれがある。かかる角度βは、例えば７．９°である。
【００３０】
垂線Ｌ１と、係合部４２ｃが他端部４３ｂに係合しているときの第２リンク部材４２の長手方向Ｌ３との間の角度βは、垂線Ｌ１と、係合部４２ｃが一端部４３ａに係合しているときの第２リンク部材４２の長手方向Ｌ２との間の角度αよりも大きいことが好ましい。この場合には、係合部４２ｃが長孔４３の他端部４３ｂに移動した後に、第２リンク４２が起立状態から倒伏しやすくなり、蓋体２の閉止操作性が向上する。
【００３１】
第２リンク部材４２を枢支している枢支部４２ａとサポート３の蓋体２に枢支されている軸支部３ａとの間の直線Ｌ４は、第２リンク部材４２における長孔４３の他端部４３ｂに係合している係合部４２ｃと蓋体２の収容部材１に対する回動中心部２ａとの間の直線Ｌ５に対して、平行である。サポート３の軸支部３ａと蓋体２の回動中心部２ａとの間の直線Ｌ６は、第２リンク部材４２の枢支部４２ａと第２リンク部材４２における長孔４３の他端部４３ｂに係合している係合部４２ｃとの間の直線Ｌ３（即ち、係合部４２ｃが他端部４３ｂに係合しているときの第２リンク部材４２の長手方向Ｌ３）に対して、平行である。従って、直線Ｌ３、Ｌ４、Ｌ５、Ｌ６は、サポート３の軸支部３ａと、第２リンク部材４２の枢支部４２ａと、蓋体２の回動中心部２ａと、第２リンク部材４２における長孔４３の他端部４３ｂに係合している係合部４２ｃとの４点をコーナとし、相対する辺の長さが互いに同じである平行四辺形リンク機構を構成している。
【００３２】
また、前方側に位置している、第２リンク部材４２の枢支部４２ａ、及び長孔４３の他端部４３ｂに係合している係合部４２ｃは、それぞれ後方側に位置している、サポート３の枢軸部３ａ、及び蓋体２の回動中心部２ａよりも若干下側に位置している。このため、係合部４２ｃが長孔４３の他端部４３ｂに移動した後に、第２リンク４２が起立状態から倒伏しやすくなり、蓋体２の閉止操作性が向上する。
【００３３】
なお、収容部材１，蓋体２，サポート３、第１リンク部材４１、第２リンク部材４２は、いずれも、金型を用いて樹脂材料を射出成形して形成されたものである。これらの部材に用いられる樹脂材料は、例えば、ＰＰ、ＡＢＳなどが挙げられる。
【００３４】
本実施形態に係るカップホルダは、車両のコンソールボックス、リヤシートの中央肘掛け部等に装着される。
【００３５】
次に、本実施形態のカップホルダの作動について説明する。まず、図２に示すように、蓋体２が開状態であるときには、蓋体２は、水平面に対して略垂直方向に立設している。第１リンク部材４１の後方側端部に形成された当接部４１ａは、開状態の蓋体２の裏面に当接している。第１リンク部材４１の前方側端部に形成された長孔４３には、その前方側の一端部４３ａに第２リンク部材４１の係合部４２ｃが係合している。このとき、第２リンク部材４２の長手方向は、水平方向に延びるサポート３の前後方向に対して鈍角（９０°＋α）を形成するように傾斜している。即ち、第２リンク部材４２は、第１リンク部材４１の長手方向に対して、起立状態から倒伏状態へ回動する方向と反対側の方向に傾斜している。
【００３６】
次に、蓋体２を開状態から閉状態にするときには、操作者によって蓋体２を前方側に倒伏させる。すると、図５に示すように、蓋体２に枢支されているサポート３が、上面を水平に維持しつつ、前方側に移動する。また、蓋体２の裏面に当接している第１リンク部材４１が、蓋体２の下部の後方側への回動にともなって、後方側、即ちリンク収納部１１ｃの中へ後退する方向に移動する。これにより、サポート３が後方側に移動するとともに、第１リンク部材４１に形成されている長孔４３が後方側に移動する。これにより、第２リンク部材４２のサポート３に枢支されている枢支部４２ａが前方側に移動し、また第２リンク部材４２の係合部４２ｃが長孔４３の一端部４３ａから他端部４３ｂに移動する。これにより、第２リンク部材４２が、サポート３に対して鈍角（９０°＋α）を形成する方向から鋭角（９０°−β）を形成する方向に回動する。即ち、第２リンク部材４２は、第１リンク部材４１の長手方向に対して、起立状態から倒伏状態へ回動する方向に傾斜する。このとき、サポート３の軸支部３ａと、第２リンク部材４２の枢支部４２ａと、蓋体２の回動中心部２ａと、第２リンク部材４２における長孔４３の他端部４３ｂに係合している係合部４２ｃとの４点は、相対する辺の長さが互いに同じであり、収容部材１を固定リンクとする平行四辺形リンク機構が形成される。
【００３７】
更に蓋体２を閉状態に回動させると、第１リンク部材４１がリンク収納部１１ｃに更に後退し、長孔４３の他端部４３ｂに係合している係合部４２ｃが、リンク収納部１１ｃの段部１１ｆに係止されて、リンク収納部１１ｃへの後退が停止する。蓋体２の更なる回動により、第１リンク部材４１の当接部４１ａは蓋体２から離間する。また、前記平行四辺形リンク機構によって、第２リンク部材４２が、係合部４２ｃを長孔４３の他端部４３ｂに保持させながら、サポート３との間で鋭角を形成する傾斜角度から更に前方側に倒伏する。また、サポート３は、その上面を水平方向に維持したまま、回動中心部２ａを中心とする円弧状の軌跡を描きながら、前方側に下降して、収容位置に移動される。
【００３８】
図６に示すように、図示略の蓋保持部材１２ｂを上方に付勢するバネに抗して、蓋保持部材１２ｂが、蓋体２の裏面によって下方に押動される。これにともない、ロック機構１２ｃの爪収容部１２ｇが下降して、係止爪１２ｅの回動を許す。そして、蓋体２の一端部は、ロック機構１２ｃの係止爪１２ｅを下側に回動させて、係止爪１２ｅに、蓋体２の一端部に形成された凹状の被係止部２ｄを係止させる。これにより、蓋体２は、ロック機構１２ｃによって移動が規制されて、閉状態となる。
【００３９】
次に、蓋体２を閉状態から開状態にするときには、ロック機構１２ｃの操作部１２ｄを押す。操作部１２ｄの下部によって係止爪１２ｅが回動され、蓋体２の被係止部２ｄの回動規制が解除される。すると、蓋体２の回動中心部２ａに巻回されていたバネによって、蓋体２が後方側に回動する。前記の平行四辺形リンク機構の作動によって、第２リンク部材４２が起立して、サポート３が収容位置から後方側に上昇する。やがて、図５に示すように、蓋体２の裏面に第１リンク部材４１の当接部４１ａが当接し、前方側に第１リンク部材４１を押動させながら、サポート３を後方側に移動させる。すると、図２に示すように、長孔４３の他端部４３ｂに係合していた係合部４２ｃが一端部４３ａに移動する。係合部４２ｃが一端部４３ａに位置すると、第２リンク部材４２は、サポート３に対して鈍角を形成するように傾斜する。これにより、蓋体２は、開状態となり、サポート３が展開位置に移動される。
【００４０】
本実施形態においては、図１，図２に示すように、蓋体２が開状態であるときには、第２リンク部材４２の係合部４２ｃが、第１リンク部材４１に形成された長孔４３の一端部４３ａに係合されることで、第２リンク部材４２は、サポート３との間で鈍角（９０°＋α）を形成する方向に傾斜している。このため、カップ類をサポート３のホルダ部３ｂに挿入する際に、サポート３にカップ類Ｃの挿入方向に荷重Ｆが加わっても、第２リンク部材４２は、つっかい棒の役目を果たし、第２リンク部材４２が起立状態から倒伏状態へ回動することが防止される。ゆえに、サポート３は動くことなく、蓋体２が閉止することが抑制される。したがって、カップ類の挿入時にサポート３に荷重が加わっても蓋体２が閉止するおそれがない。
【００４１】
蓋体２が開状態であるときには、第１リンク部材４１の当接部４１ａに蓋体２に当接している。このため、蓋体が開状態であるときには、第１リンク部材４１のスライド方向の移動が規制され、第１リンク部材４１のガタつきを抑制することができる。また、蓋体２が開状態から閉状態に回動するときには、蓋体２の回動によって第１リンク部材４１は収容部材１のリンク収納部１１ｃへ後退するため、第２リンク部材４２の係合部４２ｃが長孔４３の一端部４３ａから他端部４３ｂに移動する。これにより、第２リンク部材４２は、サポート３との間で鋭角（９０°−β）を形成するように傾斜する。ゆえに、第２リンク部材４２は、起立状態から倒伏することができる。
【００４２】
また、収容部材１を固定リンクとし、サポート３の軸支部３ａと、第２リンク部材４２のサポート３に枢支されている枢支部４２ａと、蓋体２の回動中心部２ａと、第２リンク部材４２における長孔４３の他端部４３ｂに係合している係合部４２ｃとの４点によって、平行四辺形リンク機構が構成される。ゆえに、サポート３を傾斜させることなく、展開位置と収容位置との間を移動させることができる。
【００４３】
（第２実施形態）
本実施形態に係るカップホルダは、図７，図８に示すように、サポート３に長孔３３が形成され、第１リンク部材４１には第２リンク部材４２を回動自在に枢支する軸受部４１ｃが形成されている点が、第１実施形態と相違する。
【００４４】
第２リンク部材４２は、サポート３の長孔３３に係合する係合部４２ｃと、第１リンク部材４１に形成された軸受部４１ｃに枢支されている突状の枢支部４２ａとをもつ。係合部４２ｃ、枢支部４２ａは、それぞれ第２リンク部材４２の２股に分岐して形成された窪み部４２ｂ、４２ｄの内壁から突設している。
【００４５】
サポート３に形成されている長孔３３は、第１リンク部材４１に形成された軸受部４１ｃを中心とする円弧形状を呈している。蓋体２が開状態のときには、第２リンク部材４２の係合部４２ｃは、長孔３３の一端部３３ａに位置している。このとき、第２リンク部材４２は、サポート３の前後方向と鈍角（９０°＋α）を形成する方向に傾斜して起立して、サポート３を展開位置に支持している。
【００４６】
蓋体２が開状態から閉状態に回動するときには、第２リンク部材４２の係合部４２ｃは、長孔３３の一端部３３ａから、一端部３３ａよりも前方側（即ち、サポート３の展開位置から収容位置に移動する方向の側）に位置している他端部３３ｂに移動する。また、蓋体２に当接している第１リンク部材４１が、蓋体２の回動にともなって、後方側に移動して底部材１１の段部１１ｆに係止される。これにより、サポート３の前後方向に対する第２リンク部材４２の傾斜角度が、鈍角（９０°＋α）を形成する方向から鋭角（９０°−β）を形成する方向に変わる。これにより、係合部４２ｃ、枢支部４２ａ、回動中心部２ａ、及び枢軸部３ａからなる平行四辺形リンク機構が形成され、このリンク機構によりサポート３が水平を維持したまま、展開位置から収容位置に移動される。
【００４７】
なお、前記第１、第２の実施形態においては、第１リンク部材４１及び第２リンク部材４２は、カップホルダの左右方向の中央部に配設したが、カップホルダの左右両端に配設することもできる。
【００４８】
以上、本発明の実施形態について説明したが、本発明は上記した実施形態に限定されるものではなく、特許請求の範囲に記載した本発明の主旨を逸脱しない範囲内で種々の変形が可能であることは勿論である。
【図面の簡単な説明】
【００４９】
【図１】本発明の第１実施形態に係る、蓋体が開状態のときのカップホルダの斜視図である。
【図２】図１のＡ−Ａ矢視線断面図である。
【図３】図１のＢ−Ｂ矢視線断面図である。
【図４】第１実施形態に係る、サポート及び第１リンク部材に枢支された第２リンク部材を示す、図１のＣ−Ｃ矢視線断面図である。
【図５】第１実施形態に係る、蓋体が開状態から閉状態に移動する際に、係合部が長孔の他端部に位置するときのカップホルダの断面図である。
【図６】第１実施形態に係る、蓋体が閉状態であるときのカップホルダの断面図である。
【図７】第２実施形態に係る、蓋体が開状態であるときのカップホルダの断面図である。
【図８】第２実施形態に係る、サポート及び第１リンク部材に枢支された第２リンク部材の断面図である。
【図９】従来例に係る、蓋体が開状態であるときのカップホルダの断面図である。
【符号の説明】
【００５０】
C：カップ類、１：収容部材、２：蓋体、２ａ：回動中心部、３：サポート、３ａ：枢軸部、３ｂ：ホルダ、３ｃ：爪部、３ｄ：軸受部、４：リンク機構、１１：底部材、１２：枠部材、３３：長孔、３３ａ：一端部、３３ｂ：他端部、４１：第１リンク部材、４１ａ：当接部、４２：第２リンク部材、４２ａ：枢支部、４２ｂ、４２ｄ：窪み部、４２ｃ：係合部、４３：長孔、４３ａ：一端部、４３ｂ：他端部。
【図１】
2009298219.tif 000003
【図２】
2009298219.tif 000004
【図３】
2009298219.tif 000005
【図４】
2009298219.tif 000006
【図５】
2009298219.tif 000007
【図６】
2009298219.tif 000008
【図７】
2009298219.tif 000009
【図８】
2009298219.tif 000010
【図９】
2009298219.tif 000011